(57)【要約】      （修正有）【課題】ホース収納部の開口部の中に消火用ホースに摩擦抵抗を与える部材を設ける場合、消火用ホースのホース収納部への収納の際に邪魔にならないようにする必要があり、その部材には着脱機構や移動機構等を設ける必要があり、構造が複雑なものとなってしまう。【解決手段】消火栓装置１は、筐体２の内部のホース収納部５に消火用ホース４を内巻きに収納し、前記ホース収納部５に前記消火用ホース４が引き出される開口部５ａを有する消火栓装置１において、弾性材または可撓性材で構成され前記開口部５ａの開口縁に固定される固定部７ａと前記開口部５ａの正面視における左右方向に延びた端部７ｂとを有する複数の柔軟な当たり部材７を備えたことを特徴とする【選択図】図１
2013066611.tif 000002
【特許請求の範囲】
【請求項１】
筐体の内部のホース収納部に消火用ホースを内巻きに収納し、前記ホース収納部に前記消火用ホースが引き出される開口部を有する消火栓装置において、
弾性材または可撓性材で構成され前記開口部の開口縁に固定される固定部と前記開口部の正面視における左右方向に延びた端部とを有する複数の柔軟な当たり部材を備えたことを特徴とする消火栓装置。
【請求項２】
前記当たり部材は、前記開口部の半分より長いことを特徴とする請求項１の消火栓装置。
【請求項３】
前記当たり部材は、前記開口部の左右の開口縁に設けられたことを特徴とする請求項１または２の消火栓装置。
【請求項４】
前記当たり部材は、前面視において、互い違いに配置されることを特徴とする請求項３の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００７−３３０７１３号公報（特許文献１）に記載の消火栓装置は、ホース収納部の開口部の中に消火用ホースが出てくる際にそれに摩擦抵抗を与えるホースガイドを備え、消火用ホースがホース収納部から出てくる勢いを抑えることができるようになっている。
【先行技術文献】
【特許文献】
【０００７】
【特許文献１】特開２００７−３３０７１３号公報
【発明の概要】
【発明が解決しようとする課題】
【０００８】
しかしながら、前記特許文献１に記載のホースガイドのように、ホース収納部の開口部の中に消火用ホースに摩擦抵抗を与える部材を設ける場合、消火用ホースのホース収納部への収納の際に邪魔にならないようにする必要があり、その部材には着脱機構や移動機構等を設ける必要があり、構造が複雑なものとなってしまう。
【課題を解決するための手段】
【０００９】
本発明に係わる消火栓装置は、筐体の内部のホース収納部に消火用ホースを内巻きに収納し、前記ホース収納部に前記消火用ホースが引き出される開口部を有する消火栓装置において、弾性材または可撓性材で構成され前記開口部の開口縁に固定される固定部と前記開口部の正面視における左右方向に延びた端部とを有する複数の柔軟な当たり部材を備えたことを特徴とする。
【００１０】
本発明に係わる消火栓装置の前記当たり部材は、前記開口部の半分より長いことを特徴とする。
【００１１】
本発明に係わる消火栓装置の前記当たり部材は、前記開口部の左右の開口縁に設けられたことを特徴とする。
【００１２】
本発明に係わる消火栓装置の前記当たり部材は、前面視において、互い違いに配置されることを特徴とする。
【発明の効果】
【００１３】
筐体の内部のホース収納部に消火用ホースを内巻きに収納し、前記ホース収納部に前記消火用ホースが引き出される開口部を有する消火栓装置において、弾性材または可撓性材で構成され前記開口部の開口縁に固定される固定部と前記開口部の正面視における左右方向に延びた端部とを有する複数の柔軟な当たり部材を備えたため、消火用ホースが出てくる際に、消火用ホースに複数回接触して摩擦抵抗を与え、その勢いを抑えることができ、消火用ホース収納時には、複数の柔軟な当たり部材を開口部からホース収納部の内部に押し込み、消火用ホースをホース収納部に収納することができる。
【図面の簡単な説明】
【００１４】
【図１】この発明の消火栓装置の実施形態を示し、前傾扉を開けた状態における全体の斜視図である。
【図２】この発明の消火栓装置のその要部の正面図である。
【図３】この発明の消火栓装置の他の実施の形態を示し、図２に相当する図である。
【図４】この発明の消火栓装置のさらに他の実施の形態を示し、図3と同様、図２に相当する図である。
【図５】この発明の消火栓装置のさらに他の実施の形態を示し、図3と同様、図２に相当する図である。
【図６】この発明の消火栓装置のさらに他の実施の形態を示し、その要部の１部を拡大した図である。
【発明を実施するための形態】
【００１５】
本実施の形態１について図１〜６に基づいて説明する。
【００１６】
図１に示すように、消火栓装置１は、筐体２の内部に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の裏面には消火栓弁の操作レバー６が設けられており、操作レバー６を開操作すれば、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００１７】
ホース収納部５は前部に開口部５ａを有しており、開口部５ａから消火用ホース４を外部に引き出したり、内部に収納したりすることができるようになっている。
【００１８】
なお、ホース収納部５は、具体的には、筐体２の上下に向かうように設けられた一対の棒状体５ｂと、一対の棒状体５ｂのそれぞれから筐体２の背面に向かうように設けられた略Ｌ字状の帯板５ｃと、筐体２の上面、下面、背面のそれぞれの内面とからなるものとなっており、開口部５ａは一対の棒状体５ｂの間に形成されたものとなっていて、棒状体５ｂが開口部５ａの開口縁となる。
【００１９】
そして、ホース収納部５の棒状体５ｂには、消火栓装置１の前面視（以下単に前面視という）において、棒状体５ｂに固定される固定部７ａと、左右方向に延びた端部７ｂとを有する複数の当たり部材７が備えられているものとなっている。なお、当たり部材７は、弾性材または可撓性材で構成され、具体的には、シリコンゴム、ネオプレンゴム、ブチルゴム系、ニトリルゴム系、ウレタンエラストマー、天然ゴムまたはフッ素系ゴム等のゴム、またはバネであり、消火用ホース４が開口部５ａから出てくる勢いをどの程度減衰するかに応じ、その柔軟さと、取り付け数、取り付け間隔を適宜のものとすることができる。
【００２０】
この棒状体５ｂに備えられた複数の当たり部材７は、様々な設け方ができる。例えば、全ての当たり部材７を前面視において左の棒状体５ｂに固定部７ａにより固定して、端部７ｂを右方向にのみ延ばす。また、当たり部材７の固定部７ａを前面視において左右の棒状体５ｂに設け、端部７ｂを左右の両方向から延ばしてもよい。
【００２１】
具体的には、図１〜図３に示すように、前面視で左側の棒状体５ｂに全ての当たり部材７を固定部７ａにより固定して、開口部５ａの左右開口幅の半分以下の長さだけ端部７ｂを右方向に延ばす。また、図３に示すように、図２と同様に前面視で左側の棒状体５ｂに全ての当たり部材７を固定部７ａにより固定して、開口部５ａの左右開口幅の半分以上の長さだけ端部７ｂを右方向に延ばす。
【００２２】
なお、図１〜図３においては、固定部７ａを左、端部７ｂを右として説明したが、これに限定するものではなく、左右を逆にしてもよい。
【００２３】
また、図４に示すように、前面視で左右の棒状体５ｂの両方に当たり部材７を固定部７ａにより固定して、開口部５ａ左右開口幅の半分以下の長さだけ端部７ｂを左右方向に延ばす。また、図５に示すように前面視で左右の棒状体５ｂの両端に当たり部材７を互い違いになるように固定部７ａにより固定して、開口部５ａの左右開口幅の半分以上の長さだけ端部７ｂを左右方向に延ばす。
【００２４】
また、図６に示すように、当たり部材７を中空として、端部７ｂの先に中空の当たり部材７の内部と外部を連通するリーク孔７ｃを設けるようにしてもよい。
【００２５】
前記のように、消火栓装置１は、筐体２の内部のホース収納部５に消火用ホース４を内巻きに収納し、前記ホース収納部５に前記消火用ホース４が引き出される開口部５ａを有する消火栓装置１において、弾性材または可撓性材で構成され前記開口部５ａの開口縁５ｄに固定される固定部７ａと前記開口部５ａの正面視における左右方向に延びた端部７ｂとを有する複数の柔軟な当たり部材７を備えたために、消火用水が供給された状態の消火用ホース４がホース収納部５から引き出される際に、消火用ホース４は、消火水の圧力によって、消火用ホース４の内巻き径が広がるように真っ直ぐ伸びようとするため、ホース収納部５の内部にあっては、ホース収納部５を構成する帯板５ｃと筐体２の上面、下面及び背面に押しつけられ、また、開口部５ａを通過するときは、例えば、消火用ホース４が時計回りに巻いて収容している場合には、開口部５ａの縁に沿って渦を巻くように右側の棒状体５ｂに沿って下から上に棒状体５ｂに接触しながら滑り上がり、左側の棒状体５ｂに沿って上から下に棒状体５ｂに接触しながら滑り降りながら飛び出し、当たり部材７をなぎ倒すが、当たり部材７が複数あるため、複数回接触して、その摩擦抵抗によって、消火用ホース４が開口部５ａから出てくる勢いが減衰され、その勢いが抑えられるようになっている。
【００２６】
また、当たり部材７は、複数で消火用ホースが飛び出る勢いを抑えるため、個々は、柔軟にすることができ、消火用ホース収納時には、当たり部材を開口部からホース収納部の内部に押し込み、消火用ホースをホース収納部に収納することができる。
【符号の説明】
【００２７】
１  消火栓装置、２  筐体、３  前傾扉、４  消火用ホース、４ａ  ノズル、５  ホース収納部、５ａ  開口部、５ｂ  棒状体、５ｃ  帯板、６  操作レバー、７  当たり部材、７ａ  固定部、７ｂ  端部、７ｃ  リーク孔
【図１】
2013066611.tif 000003
【図２】
2013066611.tif 000004
【図３】
2013066611.tif 000005
【図４】
2013066611.tif 000006
【図５】
2013066611.tif 000007
【図６】
2013066611.tif 000008